(57)【要約】【課題】  基板上に形成されたピット及びランドの組み合わせによってデータが記録される光ディスク記録媒体について、記録データの書換を可能とする。【解決手段】  光ディスク記録媒体に対し所定のレーザパワーによりレーザ光を照射して上記基板を隆起状に変形させる。基板が隆起状に変形されることで、基板に積層された反射膜としても隆起状に変形し、その隆起状の変形の態様によりピット部分についてはランド部分と同等の再生信号レベルが得られるようにすることができる。また、ランドについてはピット部分と同等の再生信号レベルが得られるようにすることができる。このとき、上記隆起状の変形態様は照射するレーザ光のパワーによって制御可能となるので、これらピットのランド化、ランドのピット化はレーザパワーの設定により行うことができる。【選択図】図５
2006331500.tif 000002
【特許請求の範囲】
【請求項１】
基板と、上記基板に対して少なくとも反射膜とカバー層を積層して形成され、上記基板上に形成されたピット及びランドの組み合わせによってデータが記録される光ディスク記録媒体についての記録装置であって、
上記光ディスク記録媒体に対して所定のレーザパワーによりレーザ光を照射することによって、上記レーザ光の照射部分での上記基板の形状を隆起状に変形させるレーザ照射手段と、
上記光ディスク記録媒体に形成された所定の上記ピット又はランドを対象として上記所定のレーザパワーによるレーザ光が照射されるように上記レーザ照射手段を制御する記録制御手段と、
を備えることを特徴とする記録装置。
【請求項２】
上記記録制御手段は、
上記所定のレーザパワーによるレーザ光の照射が上記ピットを対象として行われるように制御を行うものとされ、
上記所定のレーザパワーは、上記照射部分での再生信号レベルを上記ランドでの再生信号レベルと同等とする上記基板の隆起状の変形が得られるようにして設定される、
ことを特徴とする請求項１に記載の記録装置。
【請求項３】
上記記録制御手段は、
上記所定のレーザパワーによるレーザ光の照射が上記ランドを対象として行われるように制御を行うものとされ、
上記所定のレーザパワーは、上記照射部分での再生信号レベルを上記ピットでの再生信号レベルと同等とする上記基板の隆起状の変形が得られるようにして設定される、
ことを特徴とする請求項１に記載の記録装置。
【請求項４】
上記光ディスク記録媒体には、
そのデータが記録されたときに少なくともランドとピットとが隣接して形成されるようにすることのできる所定パターンのデータが記録されたビット書込領域が、所定の複数位置に対して設けられており、
上記記録制御手段は、
上記ビット書込領域における上記ランド又はピットのエッジ部分を対象として上記所定のレーザパワーによるレーザ光が照射されるように上記レーザ照射手段を制御する、
ことを特徴とする請求項１に記載の記録装置。
【請求項５】
上記ビット書込領域には、所定長以上のランドとピットとが隣接して形成されるパターンによるデータが記録されている、
ことを特徴とする請求項４に記載の記録装置。
【請求項６】
上記記録制御手段は、
上記ビット書込領域における上記ランドのエッジ部分を対象として上記所定のレーザパワーによるレーザ光が照射されるように上記レーザ照射手段を制御するものとされ、
上記所定のレーザパワーは、上記照射部分での再生信号レベルを上記ピットでの再生信号レベルと同等とする上記基板の隆起状の変形が得られるようにして設定される、
ことを特徴とする請求項４に記載の記録装置。
【請求項７】
上記記録制御手段は、
上記ビット書込領域における上記ピットのエッジ部分を対象として上記所定のレーザパワーによるレーザ光が照射されるように上記レーザ照射手段を制御するものとされ、
上記所定のレーザパワーは、上記照射部分での再生信号レベルを上記ランドでの再生信号レベルと同等とする上記基板の隆起状の変形が得られるようにして設定される、
ことを特徴とする請求項４に記載の記録装置。
【請求項８】
上記記録制御手段は、
上記ビット書込領域における上記ピットのエッジ部分を対象として上記所定のレーザパワーによるレーザ光が照射されるように上記レーザ照射手段を制御するものとされ、
上記所定のレーザパワーは、上記照射部分での再生信号レベルを他のピットでの再生信号レベルよりも低下させる上記基板の隆起状の変形が得られるようにして設定される、
ことを特徴とする請求項４に記載の記録装置。
【請求項９】
基板と、上記基板に対して少なくとも反射膜とカバー層を積層して形成され、上記基板上に形成されたピット及びランドの組み合わせによってデータが記録された光ディスク記録媒体について記録を行う記録装置の記録方法であって、
上記光ディスク記録媒体の上記ピット又は上記ランドを対象として所定のレーザパワーによりレーザ光を照射することで、上記レーザ光の照射部分での上記基板の形状を隆起状に変形させて上記データの書き換えを行うようにした、
ことを特徴とする記録方法。
【請求項１０】
基板と、上記基板に対して少なくとも反射膜とカバー層を積層して形成され、上記基板上に形成されたピット及びランドの組み合わせによってデータが記録される光ディスク記録媒体を製造するためのディスク製造方法として、
上記データを上記ピット及びランドの組み合わせによって記録したディスク原盤を生成する原盤生成工程と、
上記ディスク原盤をもとに作成したスタンパによって上記基板を生成すると共に、上記基板に対して少なくとも上記反射膜と上記カバー層を積層することで、上記データが記録された主データ記録ディスクを製造するディスク形成工程と、
上記主データ記録ディスクの上記ピット又はランドを対象として所定のレーザパワーによりレーザ光を照射することで、上記レーザ光の照射部分での上記基板の形状を隆起状に変形させて上記データの書き換えを行うデータ書換工程と、
を備えることを特徴とするディスク製造方法。
【請求項１１】
基板と、上記基板に対して少なくとも反射膜とカバー層を積層して形成され、上記基板上に形成されたピット及びランドの組み合わせによってデータが記録される光ディスク記録媒体であって、
上記ピット又は上記ランドにおいて、レーザ光の照射により上記基板の形状が隆起状に変形されていることで上記データの書き換えが行われている、
ことを特徴とする光ディスク記録媒体。
【発明の詳細な説明】
【技術分野】
【０００１】
本発明は、ピット及びランドの組み合わせによってデータが記録される光ディスク記録媒体について記録を行う記録装置とその記録方法に関する。また、このようにピット及びランドの組み合わせによってデータが記録される光ディスク記録媒体とその製造方法に関する。
【背景技術】
【０００２】
光ディスクとして、特に再生専用のＲＯＭディスクは、１つのスタンパからプラスチックの射出成形によって短時間で大量のレプリカ基板を安価に製造可能であることからパッケージメディアとして世界中で利用されている。例えばＣＤ（Compact Disc）やＤＶＤ（Digital Versatile Disc）等は、音楽や映像等の情報を記録するＲＯＭディスクとして広く一般に普及している。
【０００３】
なお、関連する従来技術については以下の特許文献を挙げることができる。
【特許文献１】特許第３４５４４１０号公報
【発明の開示】
【発明が解決しようとする課題】
【０００４】
このように短時間で大量のレプリカ基板を安価に製造可能であるＲＯＭディスクであるが、その信号の記録形態から、記録データの書き換えができないものとされてきた。しかしながら仮に、ＲＯＭディスクの記録データの書き換えが可能となれば、上記の利点はそのままに例えばライタブルディスクのような記録データの書き換えが可能な光ディスク記録媒体を提供することができ、非常に好ましいものとなる。
【課題を解決するための手段】
【０００５】
このような課題に基づき、本発明では記録装置として以下のように構成することとした。
つまり、基板と、上記基板に対して少なくとも反射膜とカバー層を積層して形成され、上記基板上に形成されたピット及びランドの組み合わせによってデータが記録される光ディスク記録媒体についての記録装置であって、先ず、上記光ディスク記録媒体に対して所定のレーザパワーによりレーザ光を照射することによって、上記レーザ光の照射部分での上記基板の形状を隆起状に変形させるレーザ照射手段を備える。
そして、上記光ディスク記録媒体に形成された所定の上記ピット又はランドを対象として上記所定のレーザパワーによるレーザ光が照射されるように上記レーザ照射手段を制御する記録制御手段を備えるようにしたものである。
【０００６】
上記のようにしてレーザ光の照射部分で基板が隆起状に変形されることで、基板に積層された反射膜としても隆起状に変形する。そして、このような基板隆起に伴う反射膜の隆起状の変形の態様により、ピット部分については、少なくともプラスの再生信号レベルを得るようにすることができる。つまりランド部分と同等の再生信号レベルが得られるようにする（以下ランド化するとも言う）ことができる。また、ランドについては少なくともマイナスの再生信号レベルを得るようにする、つまりはピット部分と同等の再生信号レベルが得られるようにする（ピット化するとも言う）ことができる。
このとき、上記隆起状の変形態様は照射するレーザ光のパワーによって制御可能となるので、これらピットのランド化、ランドのピット化はレーザパワーの設定により行うことができる。
【発明の効果】
【０００７】
このようにして本発明によれば、ピットをランド化、ランドをピット化できることで、光ディスク記録媒体に記録されたデータの書き換えを行うことができる。
このとき、本発明によればピットをランド化すること、及びランドをピット化することの双方が可能となるので、例えばどちらか一方により記録データの書き換えを行うとした場合よりも書き換えの自由度を増すことができる。
【発明を実施するための最良の形態】
【０００８】
以下、発明を実施するための最良の形態（以下実施の形態とする）について説明していく。なお、説明は以下の順序で行う。
＜１．光ディスク記録媒体＞
＜２．記録装置＞
＜３．記録原理＞
＜４．適用例＞
【０００９】
＜１．光ディスク記録媒体＞
図１は、実施の形態の記録装置が記録対象とする光ディスク記録媒体（主データ記録ディスクＤ１６）の断面構造図を示している。
実施の形態の主データ記録ディスクＤ１６は、再生専用のＲＯＭディスクであり、具体的にはブルーレイディスク(Blu-Ray Disc)と称されるディスクに準拠したディスク構造及びフォーマットが採用されたものとなる。
このディスクＤ１６は、図示するようにして基板１０１と、この基板１０１に対して積層された反射膜１０２、及びこの反射膜１０２に対しＵＶ硬化樹脂（赤外線硬化樹脂）１０４により接着されたカバー層１０３を備えている。基板１０１における上記反射膜１０２と接する面に対しては凹凸の断面形状が与えられている。凹状の断面部はピットであり、凸状の断面部はランドである。ディスクＤ１６では、これらピットとランドの組み合わせ、具体的にはピットとランドのそれぞれの長さによりデータが記録される。
【００１０】
反射膜１０２は、基板１０１上に積層されることで上記のようなピットとランドの形状に応じた凹凸の断面形状が与えられる。また、反射膜１０２は、例えば金属膜とされ、図示するようにして対物レンズによって集光されるレーザ光が上記カバー層１０３・ＵＶ硬化樹脂１０４を介して照射された際に、上記凹凸に応じた反射光が得られるようなっている。後述する記録装置５０では、照射したレーザ光のこの反射膜１０２からの反射光に基づき、ピットとランドの組み合わせにより記録されるデータを読み出すことができる。
【００１１】
図２は、上記主データ記録ディスクＤ１６を製造し、さらにこのディスクＤ１６に記録されたデータが書き換えられた実施の形態としての光ディスク記録媒体（ディスク１００）の製造工程について説明するための図である。
先ず、ディスク１００（主データ記録ディスクＤ１６）を製造するにあたっては、先ず図中のフォーマット化工程Ｓ１１を実行するようにされる。このフォーマット化工程Ｓ１１は、例えばコンピュータ等を用いて行うことになる。
このフォーマット化工程Ｓ１１では、主データ記録ディスクＤ１６（ディスク１００）に対して記録されるべきコンテンツデータ（ユーザデータ）について、所定の規格に応じたフォーマットデータ列が得られるように変換動作を行う。すなわち、実施の形態の場合は、後の図３に示すようなブルーレイディスクの規格に応じたデータ列が得られるように変換動作を行う。また、実際には、ユーザデータに対する誤り検出符号及び誤り訂正符号の付加、インターリーブ処理等も行うようにされる。
【００１２】
可変長変調工程Ｓ１２では、フォーマット化工程Ｓ１１により生成されたデータ列に対して可変長変調処理を施す。実施の形態の場合では、ＲＬＬ（１，７）ＰＰ（Parity preserve/prohibit、ＲＬＬ：Run Length Limited）変調処理及びＮＲＺＩ（Non Return to Zero Inverse）変調処理を施すことになる。この可変長変調工程Ｓ１２により得られたデータ列の”０””１”パターンが、実際に主データ記録ディスクＤ１６（ディスク１００）に対してピットとランドの組み合わせにより記録されるデータパターン（主データとも言う）となる。
【００１３】
続いて、原盤生成工程Ｓ１３を行う。原盤生成工程Ｓ１３は、マスタリング装置を用いて行う。
原盤生成工程Ｓ１３では、先ずガラス原盤に対してフォトレジストを塗布する。そして、このようにフォトレジストが塗布されたガラス原盤を回転駆動した状態で上記可変長変調工程Ｓ１２にて生成した主データに応じたレーザ光を照射することで、記録トラックに沿った凹凸のパターンを形成する。つまり、ピットとランドを形成していく。
次いで、ピットとランドが形成されたレジストを現像処理することでガラス原盤上に定着させ、さらに原盤表面に対して電解メッキを施すことで、図示する金属原盤Ｄ１４を生成する。
【００１４】
このように生成した金属原盤Ｄ１４を用いて、ディスク形成工程Ｓ１５を行う。
ディスク形成工程Ｓ１５では、先ず上記金属原盤Ｄ１４をもとにスタンパを作成する。そして、このスタンパを成形金型内に配置して、射出成形機を用いてポリカーボネートやアクリル等の透明樹脂により基板１０１を形成する。この基板１０１には、先の変調工程Ｓ１２にて生成された主データに応じたピットとランドのパターンが記録トラックに沿って形成されることになる。
そして、この基板１０１に対して、先ずは反射膜１０２を蒸着等により積層し、さらにこの反射膜１０２上にカバー層１０３をＵＶ硬化樹脂１０４により接着する。これによって先ずはピットとランドの組合せによるデータ（主データ）のみが記録された主データ記録ディスクＤ１６が形成されることになる。
【００１５】
続いて、データ書換工程Ｓ１７を実行する。
つまり、上記のようにして生成された主データ記録ディスクＤ１６に対し、後の図４にて説明する記録装置５０によりレーザ光の照射を行うことで、記録された主データの書き換えを行って実施の形態としてのディスク１００を生成する工程である。
なお、実施の形態の記録装置５０を用いたこのような記録データの書き換えについては後述する。
【００１６】
次の図３には、上記製造工程により製造されるディスク１００（主データ記録ディスクＤ１６）に記録される情報信号のデータ構造を示す。
先ず、図示するようにしてＲＵＢと称される１つの記録単位が定義される。１つのＲＵＢは、１６個のセクターと２つのリンキングフレームから成るようにされる。リンキングフレームは、各ＲＵＢ間の緩衝領域として設けられている。
それぞれのセクターは、図示するようにして３１個のフレームから成る。さらに１つのフレームは１９３２チャンネルビットのデータから成る。この場合、フレームは１つのアドレス単位を形成する。
実施の形態で例示しているブルーレイディスクにおいて、ディスク上に対して記録される情報信号はＲＬＬ（１，７）ＰＰ変調ルールに従ったものとなるで、符号”０”と”１”との連続数（つまりピット長とランド長）は何れも２Ｔ（チャンネルビット）から８Ｔの長さに制約されている。
各フレームの先頭に位置するｓｙｎｃでは、この変調ルールに従わない９Ｔによる連続符号が挿入されて再生時のフレーム同期信号の検出に用いられる。
【００１７】
＜２．記録装置＞
図４は、図２に示したデータ書換工程Ｓ１７において、主データ記録ディスクＤ１６に対しレーザ光の照射を行いディスク１００を生成する、実施の形態としての記録装置５０の内部構成を示している。
先ず、ディスクＤ１６は、図示されないターンテーブルに載置された状態でスピンドルモータ５１によって所定の回転駆動方式に従って回転駆動される。このように回転駆動されるディスクＤ１６に対し、図示する光ピックアップＯＰが記録信号（記録データ）の読み出しを行う。
この光ピックアップＯＰには、図示するようにしてレーザ光源となるレーザダイオードＬＤ、レーザ光をディスクＤ１６の記録面に集光・照射するための対物レンズ５２ａ、ディスクＤ１６からの上記レーザ光照射に基づく反射光を検出するフォトディテクタＰＤ等が備えられている。
さらに、上記対物レンズ５２ａをフォーカス方向及びトラッキング方向に移動可能に保持する２軸機構５２が設けられている。この２軸機構５２は後述する２軸駆動回路５６からのフォーカスドライブ信号ＦＤ、トラッキングドライブ信号ＴＤに基づいて対物レンズ５２ａを上記フォーカス方向及びトラッキング方向に駆動する。
確認のために述べておくと、上記フォーカス方向とはディスクＤ１６に接離する方向である。
【００１８】
上記光ピックアップＯＰ内のフォトディテクタＰＤによって検出された反射光情報は、ＩＶ変換回路５３にて電気信号に変換された後、マトリクス回路５４に供給される。マトリクス回路５４は、ＩＶ変換回路５３からの反射光情報に基づいて再生信号ＲＦ、トラッキングエラー信号ＴＥ、フォーカスエラー信号ＦＥを生成する。
【００１９】
サーボ回路５５は、マトリクス回路５４からのトラッキングエラー信号ＴＥ、フォーカスエラー信号ＦＥに対し、それぞれ位相補償等のためのフィルタリングやループゲイン処理等の所定演算を行ってトラッキングサーボ信号ＴＳ、フォーカスサーボ信号ＦＳを生成する。そして、これらトラッキングサーボ信号ＴＳ及びフォーカスサーボ信号ＦＳを２軸駆動回路５６に供給する。
２軸駆動回路５６は、トラッキングサーボ信号ＴＳ、フォーカスサーボ信号ＦＳに基づいてトラッキングドライブ信号ＴＤ及びフォーカスドライブ信号ＦＤを生成し、これを２軸機構５２のトラッキングコイル・フォーカスコイルに供給する。
【００２０】
この図に示すフォトディテクタＰＤ、ＩＶ変換回路５３、マトリクス回路５４、及び上記したサーボ回路５５、２軸駆動回路５６、２軸機構５２によっては、トラッキングサーボループ、及びフォーカスサーボループが形成される。これらトラッキングサーボループ、及びフォーカスサーボループが形成されることで、ディスクＤ１６に照射されるレーザ光のビームスポットがディスクＤ１６に形成されるピット列（記録トラック）をトレースし且つ適正なフォーカス状態で維持されるように制御が行われるようになっている。
【００２１】
また、上記マトリクス回路５４にて生成された再生信号ＲＦは２値化回路５７に供給され、ここでＰＲＭＬ（Pertial Response Maximum Likelihood）復号処理が行われて”０””１”の２値化データが得られる。この２値化データは同期検出回路５８、及びＰＬＬ（Phase Locked Loop）回路５９に対して供給される。
【００２２】
ＰＬＬ回路５９は、供給される２値化データに同期したクロックＣＬＫを生成し、これを必要な各部の動作クロックとして供給する。特に、このクロックＣＬＫは上記２値化回路５７、及び次に説明する同期検出回路５８、アドレス検出回路６０、及び記録パルス発生回路６１の動作クロックとしても供給される。
【００２３】
同期検出回路５８は、供給される２値化データから先の図３に示したフレームごとに挿入されるｓｙｎｃパターンを検出する。具体的には、この場合のｓｙｎｃパターンとされる９Ｔ区間を検出してフレーム同期検出を行う。
フレーム同期信号はアドレス検出回路６０を始めとした必要な各部に対して供給される。
【００２４】
アドレス検出回路６０は、上記フレーム同期信号と供給される２値化データとに基づき、アドレス情報ＡＤＲの検出を行う。検出されたアドレス情報ＡＤＲはコントローラ６５に供給される。また、このアドレス情報ＡＤＲは、記録パルス発生回路６１における記録パルス生成回路６３に対しても供給される。
【００２５】
記録パルス発生回路６１は、図示するようにして記録パルス生成回路６３、ＲＡＭ（Randam Access Memory）６２を備えている。
この記録パルス発生回路６１には、ディスクＤ１６上に記録された主データの書き換え位置を指示するための、書換指示データが入力される。また、これと共に上記アドレス検出回路６０から供給されるアドレス情報ＡＤＲとＰＬＬ回路５９から供給されるクロックＣＬＫとが供給される。
【００２６】
例えば上記書換指示データとしては、書き換え位置のみが”１”で他がすべて”０”によるデータ列により書き換え位置を示す情報が入力され、記録パルス生成回路６３はそのデータ列をＲＡＭ６２に保持する。そして、実際にディスクＤ１６について再生動作が実行される下で、このデータ列をアドレス情報ＡＤＲ及びクロックＣＬＫのタイミングに基づいて、図示する記録パルス信号Ｗｒｐとしてレーザ制御部６４に対して出力する。例えばこのような動作により、指示された適正な位置で記録データの書き換えを行うための記録パルス信号Ｗｒｐを生成するようにされている。
【００２７】
レーザ制御部６４は、上記記録パルス発生回路６１から出力される記録パルス信号Ｗｒｐに基づき、光ピックアップＯＰ内のレーザダイオードＬＤのレーザパワーを制御する。具体的にこの場合のレーザ制御部６４は、記録パルス信号ＷｒｐがＬレベルのときは再生パワーによるレーザ出力が得られるように制御する。また、記録パルス信号ＷｒｐがＨレベルのときは記録パワーとなるように制御を行う。
【００２８】
コントローラ６５は、例えばマイクロコンピュータにより構成され、当該記録装置５０の全体制御を行う。
例えば、サーボ回路５５に対して目標アドレスを指示することで、シーク動作制御を行う。すなわち、目標アドレスを指示することで、サーボ回路５５によってこの目標アドレスをターゲットとした光ピックアップＯＰのアクセス動作を実行させる。
また、サーボ回路５５に対してトラックジャンプ指令を行うことで、サーボ回路５５によりトラッキングサーボループをオフとさせ、トラックジャンプ動作を実行させることもできる。
【００２９】
＜３．記録原理＞
本実施の形態では、これまでで説明した主データ記録ディスクＤ１６と記録装置５０により、ディスクＤ１６上にピットとランドの組み合わせにより記録されたデータの書き換えを行うものである。以下、その原理について説明する。
【００３０】
図５〜図９は、実際に主データ記録ディスクＤ１６に対し記録装置５０により記録パワーによるレーザ光の照射を行って記録を行った結果を示している。
先ず図５は、レーザ光照射により記録が行われた部分（記録部分）での、レーザパワーＰｗ（ｍＷ）に対する再生信号レベルの変化特性を示している。
なお、この図では記録部分での再生信号レベルの変化を、記録部分での再生信号レベル（Level_wrt）からの未記録部分での再生信号レベル（Level_non）の差分値によって表している。また、この図においては、ピットを対象として記録を行った場合の再生信号レベルの変化特性を黒丸と破線の組により示し、ランドを対象として記録を行った場合の変化特性を黒三角と実線の組により示している。
なお、参考として、以下に図５に示す実験結果が得られたときの設定条件を示しておく。
基板１０１・・・ポリカーボネート、
反射膜１０２・・・アルミニウム（Ａｌ）７０：鉄（Ｆｅ）１５：銅（Ｃｕ）１５、
カバー層１０３と反射膜１０２との接着材料・・・ＵＶ硬化樹脂１０４、
レーザ照射時間（記録パルス幅）＝３０ｎｓ、線速度＝４．９１７ｍ／ｓ、
レーザ波長λ＝４０５ｎｍ、開口数ＮＡ＝０．８５
【００３１】
先ず、実線により示すランド側を対象とした記録では、最も低いレーザパワーＰｗ-l1からレーザパワーＰｗを上昇させていくと、或るレーザパワーＰｗ（図の例ではＰｗ＝１７ｍＷ付近）までは記録部分と未記録部分との再生信号レベルの差はほぼ生じず、さらにレーザパワーＰｗを上昇させていくと記録部分と未記録部分の再生信号レベルの差はマイナスの値となる。すなわち、或るレーザパワーＰｗ以上で記録部分での再生信号レベルが低下する特性となる。
このとき、上記のようにして再生信号レベルの低下が開始するレーザパワーＰｗよりも高いレーザパワーＰｗ-l2付近では、再生信号レベルがピットでの再生信号レベルの半分程度以下まで低下し、記録が開始される。つまり、再生信号レベルがマイナスの値となってランドのピット化が実現される。
【００３２】
但し、このレーザパワーＰｗ-l2付近では、記録箇所によって再生信号レベルが変動し記録（この場合はランドのピット化）が不安定となる結果が得られている。ランド記録の場合、上記レーザパワーＰｗ-l2よりもさらに高いレーザパワーＰｗとすることで再生信号レベルはさらに低下させることができ、図示するレーザパワーＰｗ-l3では再生信号レベルをピットレベルよりも低いレベルで安定させることができる。従って確実なランドのピット化を実現するためには、レーザパワーＰｗは少なくともＰｗ-l2以上とし、好ましくはＰｗ-l3付近とすればよいものである。
【００３３】
一方、ピット記録の場合、レーザパワーＰｗ-p1からレーザパワーを上昇させていくと再生信号レベルが安定に上昇し、図示するレーザパワーＰｗ-p2において再生信号レベルはミラーレベル（ランドでの再生信号レベル）の半分程度以上まで上昇する。つまり、再生信号レベルがプラスに転じてピットのランド化が実現される。
そして、このレーザパワーＰｗ-p2からの上昇に対しては、再生信号レベルは低下傾向に転じ、図中レーザパワーＰｗ-p3以上のところで元のピットレベルよりも低い再生信号レベルで安定となる。
このようにピット記録ではレーザパワーＰｗ-p2付近で安定にピットをランド化でき、またレーザパワーＰｗ-p3以上では通常の（未記録の）ピットレベルよりも低い再生信号レベルで安定に記録できることがわかる。
【００３４】
図６、図７は、このようなレーザ光照射により記録が行われたディスク１００について、カバー層１０３及び反射膜１０２を剥離して基板１０１をＡＦＭ（原子間力顕微鏡）により観察した結果の模式図を示している。各図の（ａ）図では基板１０１の平面の観察結果を示し、（ｂ）図ではそれぞれ実線ｘ、実線ｙにより示す切断面での基板１０１の断面形状を観察した結果を示している。また、それぞれの（ｂ）図に示される破線Ａ〜Ｅ、破線Ｆ〜Ｉは、それぞれの（ａ）図に示される点Ａ〜Ｅ、点Ｆ〜Ｉの位置を示すものである。
これらの観察結果より、図６に示すランド記録、図７に示すピット記録のいずれの場合も、記録部分Ｍでは基板１０１の表面（反射膜１０２が成膜される側）が隆起状に変形していることがわかる。
これは、比較的高いパワーによるレーザ光照射により反射膜１０２が高温に熱せられた影響で、反射膜１０２と接する基板１０１の樹脂が球形に膨張した結果であると考えられる。
【００３５】
図８、図９は、先の図５に示したレーザパワーＰｗの変化に応じた基板１０１の隆起状の変形の様子と、それに伴い得られる再生信号波形を模式的に示した図である。各図における（ａ）図では基板１０１の変形形状を断面図により示し、（ｂ）図では再生信号波形を示してる。
図８に示されるランド記録の場合、図５にも示したレーザパワーＰｗ-l1→Ｐｗ-l2→Ｐｗ-l3の上昇に応じては、基板１０１の単調な持ち上がりによる凸形状の高さ上昇に伴って反射光量が減少傾向となっていく。このような原理により、ランド記録の場合はレーザパワーＰｗ-l1→Ｐｗ-l2→Ｐｗ-l3の上昇に応じて次第に再生信号レベルが低下していく傾向となる。
【００３６】
また、図９のピット記録の場合としても、レーザパワーＰｗ-p1→Ｐｗ-p2→Ｐｗ-p3のレーザパワーＰｗの上昇に伴っては、同様に基板１０１の持ち上がり（隆起）の度合いが大きくなっていく。この場合、レーザパワーＰｗ-p2までの隆起では、ピット底面の高さがランド高さに近づき、且つピット壁の高さが相対的に低い状態となっているので、反射光量はランドレベルに向けて上昇していく傾向となる。
そして、レーザパワーＰｗ-p2からの上昇に対しては、隆起の度合いが大きくなることでピット底面はランド高さよりも上昇していくのであるが、この場合はレーザパワーＰｗの上昇に伴い、ピット壁高さも高くなっていくので、結果的に凸状のピットとして反射光量が減少していってしまう。
このようにしてピット記録の場合は、レーザパワーＰｗ-p1→Ｐｗ-p2までの上昇に応じては再生信号レベルが上昇する傾向となり、Ｐｗ-p2→Ｐｗ-p3の上昇によっては逆に再生信号レベルが低下していく傾向となる。
【００３７】
このようにして本実施の形態の記録装置５０では、レーザダイオードＬＤによる記録パワーの設定によって、主データ記録ディスクＤ１６上のピットをランド化する、或いはランドをピット化する、さらにはピット部分の再生信号レベルをより低下させることができる。
そして、このとき、ピットをランド化するにあたっては、上記記録パワーとしてレーザパワーＰｗ-p2を設定すればよい。また、ランドをピット化するにあたってはレーザパワーＰｗ-l3を設定すればよい。
つまり、図４に示した記録装置５０としては、ピットに対する記録を行うときは、レーザダイオードＬＤによる記録パワーをレーザパワーＰｗ-p2に設定する。また、ランドに対する記録を行うときには記録パワーをレーザパワーＰｗ-l3に設定する。これによって、主データ記録ディスクＤ１６に記録されたピットをランド化でき、またランドをピット化することができる。
【００３８】
なお、このとき、ピットの書き換えとランドの書き換えを１度に行おうとすると記録パワーの切り換えを頻繁に行う必要がでてくる。そこでピットのみを対象とした記録と、ランドのみを対象とした記録を２度に分けて実行することで、記録パワーの制御はそれぞれの記録動作の直前のみに変えればよいものとできる。具体的な動作としては、例えば記録パルス発生回路６１により、入力された書換指示データに基づきランドの書き換え位置のみを特定し、その位置でのみＨとなる記録パルス信号Ｗｒｐをレーザ制御部６４に出力して、先ずはランドのみを対象とした書き換え動作を実行する。次いで、ピットの書き換え位置のみでＨとなる記録パルス信号Ｗｒｐに基づきピットのみを対象とした書き換え動作を実行する。そしてこのとき、これらランドのみを対象とした記録動作とピットのみを対象とした記録動作のそれぞれの実行前に、レーザダイオードＬＤの記録パワーが上記したレーザパワーＰｗ-l3、レーザパワーＰｗ-p2にそれぞれ設定されるように制御を行う。
このような動作により、ピットのランド化、ランドのピット化の双方を駆使した記録データの書換を行うことができる。
【００３９】
このようにして本実施の形態によれば、主データ記録ディスクＤ１６に形成されたピットをランド化、ランドをピット化することができ、これによってディスクＤ１６の記録データ（主データ）の書き換えを行うことができる。このとき、上記のようにピットのランド化とランドのピット化の双方を実現できるので、どちらか一方により書き換えを行うとした場合よりも書き換えの自由度を増すことができる。
【００４０】
ここで、本実施の形態では、ユーザデータ（コンテンツデータ）が可変長変調処理された信号がピット及びランドの組み合わせで記録される場合を例示したが、例えば、コンテンツデータが無変調で記録されていると仮定すれば、上記のように記録データの書き換えが可能となることで、コンテンツデータの内容の書き換えが可能となる。
或いは、本実施の形態のようにコンテンツデータが可変長変調処理されたデータがピット及びランドの組み合わせで記録される場合としても、書き換え後のデータがその変調ルールに従ったものとなる範囲内においては、同じようにコンテンツデータのデータ内容の書き換えを行うことができる。
【００４１】
なお、ここでは記録データの書き換えをピットのランド化とランドのピット化の双方を駆使して行うものとしているが、勿論いずれか一方のみを駆使して記録データの書き換えを行うことも可能である。
【００４２】
ここで、本実施の形態において、先の図５に示した実験結果は、
基板１０１・・・ポリカーボネート、
反射膜１０２・・・アルミニウム（Ａｌ）７０：鉄（Ｆｅ）１５：銅（Ｃｕ）１５、
カバー層１０３と反射膜１０２との接着材料・・・ＵＶ硬化樹脂１０４、
レーザ照射時間（記録パルス幅）＝３０ｎｓ、線速度＝４．９１７ｍ／ｓ、
レーザ波長λ＝４０５ｎｍ、開口数ＮＡ＝０．８５
を条件とした場合のものであるが、ピットのランド化、ランドのピット化を実現するための基板１０１の隆起状の変形態様自体は、記録装置５０により照射するレーザ光のパワー設定で制御可能なものである。
つまり、本実施の形態としては、図５に示したような再生信号レベルの変化特性が得られる各種条件（上記のような基板１０１、反射膜１０２、カバー層１０３、及び接着材料の材質・組成や線速度、波長λなど）の設定の下であれば、レーザパワーＰｗとして、ピット記録の場合は再生信号レベルがプラスとなるレーザパワーＰｗ（Ｐｗ-p2）、ランド記録の場合は再生信号レベルがマイナスとなるレーザパワーＰｗ（Ｐｗ-l2以上）でそれぞれ記録が行われることで、ピットをランド化、ランドをピット化することができるものである。
また、さらにピット記録については、再生信号レベルをより低下させるレーザパワーＰｗ（レーザパワーＷｐ-p3）の設定により記録が行われることで、より再生信号レベルが低下するピットとすることができる。
【００４３】
＜４．適用例＞
続いては、これまでで説明してきた本実施の形態としての記録方法の適用例について説明する。
この適用例としては、本実施の形態の記録方法を用いて、主データ記録ディスクＤ１６の個々に対しそれぞれ固有の値によるＩＤ情報を付すようにしたものである。
【００４４】
図１０は、この適用例において用いられる主データ記録ディスクＤ１６に記録されるデータのデータ構造として、特に図３に示したフレーム内の構造を示した図である。
先ず、この図１０に示されるフレームの構造は、ＲＬＬ（１，７）ＰＰ変調前のデータを示している。すなわち、この図１０に示されるデータ（ｓｙｎｃは除く）に対してＲＬＬ（１，７）ＰＰ変調を施すことで、先の図３に示した１９３２チャンネルビットによるフレームとなる。
ｓｙｎｃは、変調前のデータとしては２０ｂｉｔとなる。そしてこの場合、ｓｙｎｃに続けては２５ｂｉｔのデータ領域が設けられる。さらにこれに続けては、１ｂｉｔのＤＣコントロールビット→４５ｂｉｔのデータ領域→１ｂｉｔのＤＣコントロールビットのパターンが繰り返される。
【００４５】
そして、本実施の形態では、ｓｙｎｃ後の２５ｂｉｔのデータ領域うち、先頭の３Ｂｙｔｅ（２４ｂｉｔ）の領域を、ＩＤ情報を形成するビットの値を書き込むためのＩＤ bit書込領域として割り当てるものとしている。
このＩＤ bit書込領域の各Ｂｙｔｅ（先頭からＢｙｔｅ１、Ｂｙｔｅ２、Ｂｙｔｅ３とする）の値としては、図示するようにすべて４６ｈとしている。これによって、各ＢｙｔｅのデータがＲＬＬ（１，７）ＰＰ変調及びＮＲＺＩ変調されて実際にディスクＤ１６にピット・ランドとして記録されるときに、図示するようにして５Ｔのランドと５Ｔのピットが隣接する区間が得られるようにしている。
つまり具体的に、４６ｈ（０１０００１１０）をＲＬＬ（１，７）ＰＰ変調した値は、図中のMudulation bitsとして示すように「０１００００１００００１」となり、そのＮＲＺＩ変調後の記録波形には、図示するNRZI bit stream1、NRZI bit stream2に示されるように５Ｔピット→５Ｔランドの組、又は５Ｔランド→５Ｔピットの組が得られ、これによって５Ｔのランドと５Ｔのピットが隣接する区間が得られる。
なお、同じMudulation bitsに対してそれぞれ極性の異なるNRZI bit stream1、NRZI bit stream2を想定する必要があるのは、直前のフレームの最終ビットの値によってはＢｙｔｅ開始時点でのＮＲＺＩの極性が異なる場合があるからである。
【００４６】
本実施の形態の適用例では、このようにＩＤ bit書込領域内の各Ｂｙｔｅ１〜３にて所定長のランドとピットとが隣接する区間が得られるようにした上で、これらランドとピットとの境界部分をシフトさせる／させないかによりＩＤ情報の値の記録を行う。
つまり、図中のエッジシフト対象部分ｓｆｔがシフトされていれば”１”、シフトされていなけば”０”といった形態でＩＤ情報の値を記録するものである。
【００４７】
なお、確認のために述べておくと、この適用例の場合は、先の図２に示したフォーマット化工程Ｓ１１として、図１０に示したフレーム内の構造が得られるようにしてフォーマット化が行われることになる。
【００４８】
図１１に、このような本実施の形態の適用例としての記録動作の具体例を示す。
なお、この図１１ではエッジシフト対象部分ｓｆｔとしてランド側のエッジ部分をピット化することでエッジシフトを行う場合を例示する。さらに、エッジシフトとしては１Ｔ分のシフトを行うものとする。
【００４９】
先ず、この図においても、先の図１０と同様のＩＤ bit書込領域内に格納されるデータ値（Data bits）とそれに基づくModulation bitsと、このModulation bitsに基づき得られる記録波形として想定され得る、それぞれ極性の異なるNRZI bit stream1とNRZI bit stream2の記録波形との関係が示されている。
この場合としては、上記もしているようにエッジシフトをランドのエッジ部分をピット化することで行うので、NRZI bit stream1、NRZI bit stream2の何れの場合も、エッジシフトを行うとしたときはランド側のエッジ部分を対象として記録パワーによるレーザ光照射を行って記録を行うことになる。
【００５０】
但し、ここで考慮すべきは、NRZI bit stream1の極性となる場合と、NRZI bit stream2の極性となる場合とで、レーザ光を照射するタイミングが異なるものとなることである。
すなわち、図示するようにNRZI bit stream1の極性となる場合、Ｂｙｔｅ１では先頭から７クロック目、Ｂｙｔｅ２では先頭から６クロック目、Ｂｙｔｅ３では先頭から７クロック目がそれぞれ適正なレーザ照射位置となるのに対し、NRZI bit stream2の極性となる場合には、適正なレーザ照射位置は、Ｂｙｔｅ１では先頭から６クロック目、Ｂｙｔｅ２では先頭から７クロック目、Ｂｙｔｅ３では先頭から６クロック目となっている。
このことを考慮すると、適正なエッジシフトが得られるようにするためには、記録対象のフレームでのＮＲＺＩの極性の情報を把握しておく必要がある。
【００５１】
例えばこの場合、ＩＤ情報の値として、Ｂｙｔｅ１には”０”、Ｂｙｔｅ２、Ｂｙｔｅ３にはそれぞれ”１”を記録するものとされたとする。
この場合、先ずはＢｙｔｅごとに割り振られたＩＤ情報の値に基づき、そのＢｙｔｅにおいてエッジシフトを行うか否かを判断する。つまり、この場合はＢｙｔｅ１〜Ｂｙｔｅ３に割り振られた上記”０””１””１”より、Ｂｙｔｅ２、Ｂｙｔｅ３でエッジシフトを行えばよいことがわかる。
そして、このとき、記録対象としているフレームでのNRZI bit streamの極性によっては、適正なエッジシフト位置が異なるので、当該フレームでの極性に応じた位置でレーザ光の照射を行う。つまり、NRZI bit stream1の極性では、図示するようにＢｙｔｅ２の先頭から６チャンネルビット目の位置と、Ｂｙｔｅ３の先頭から７チャンネルビット目の位置とでレーザ光の照射を行うことで、これらＢｙｔｅ２とＢｙｔｅ３とで適正にエッジシフト対象部分ｓｆｔとしてのランドのエッジ部分をシフトさせることができる。
また、NRZI bit stream2の極性では、Ｂｙｔｅ２の先頭から７チャンネルビット目の位置と、Ｂｙｔｅ３の先頭から６チャンネルビット目の位置とでレーザ光の照射を行うことで、これらＢｙｔｅ２とＢｙｔｅ３とで適正にエッジシフト対象部分ｓｆｔとしてのランドのエッジ部分をシフトさせることができる。
【００５２】
このような動作により、この場合はＢｙｔｅ２、Ｂｙｔｅ３のみに”１”が記録されたことになる。すなわちこの結果、当該ＩＤ bit書込領域に対しては上記した”０””１””１”が記録されたことになる。
この図１１では１つのフレーム内のＩＤ bit書込領域のみを抽出して示しているが、ＩＤ書込領域としては他のフレームに対しても同様に設けられるものである。従ってこのような記録動作を複数のフレームにわたって実行することで、ＩＤ情報を形成する全ての値を記録することができる。
【００５３】
ここで、記録された値の判定、すなわちＩＤ情報の再生は以下のようにして行うことができる。
先ず、再生装置側では、フレームごとにＩＤ bit書込領域に記録されたデータ（主データ）の再生を行う。
ここで、本実施の形態の適用例では、先の図１０に示したように、ＩＤ bit書込領域の位置と、その中に格納されるべきデータの値がフォーマットにより規定されている。このことから再生装置側では、ディスク１００上のＩＤ bit書込領域の位置を認識できる。また、同様にＩＤ bit書込領域における各Ｂｙｔｅ内に格納されているデータの値も予め把握しておくことができる。
【００５４】
再生装置側では、ＩＤ bit書込領域のデータ再生を行い、各Ｂｙｔｅごとに再生データとそのＢｙｔｅに格納されるべきデータの値（この場合は４６ｈ）とを比較する。
そのＢｙｔｅでの再生データが４６ｈと一致すればエッジシフトが行われていない、つまり”０”が記録されていると判定できる。逆に４６ｈと一致しなければエッジシフトが行われた、すなわち”１”が記録されていると判定できる。
このようにしてＩＤ情報の再生を行うことができる。
【００５５】
なお、これまでの説明のようにして各フレームごとにＩＤ情報の値を３つを記録できるということは、この場合のＩＤ情報としてはフレームの総数×３個分のビット数を記録できることになる。しかしながら、このことは必ずしも全てのフレームを対象としてＩＤ情報の記録を行うべきとするものではなく、例えばＩＤ情報として記録すべきビットの数がフレームの総数×３以下となる場合には、ＩＤ情報を形成するすべてのビットを記録するに足るフレーム数分記録を行う等、ＩＤ情報の記録は一部のフレームを対象としてのみ行うこともできる。
【００５６】
なお、参考として、次の図１２にはエッジシフトが行われた場合のディスク１００上の様子とエッジシフト後の記録波形、及びそれに伴い得られるModulation bitsとData bitsの値を示しておく。
先ず、この図においてＴｙｐｅ１と示す記録波形は、先の図１０・図１１を参照してわかるように、NRZI bit stream1の極性の場合のＢｙｔｅ１、Ｂｙｔｅ３の記録波形、及びNRZI bit stream2の極性の場合でのＢｙｔｅ２での記録波形に該当する。
また、Ｔｙｐｅ２と示す記録波形は、NRZI bit stream1の極性の場合のＢｙｔｅ２、及びNRZI bit stream2の極性の場合でのＢｙｔｅ１、Ｂｙｔｅ３での記録波形に該当する。
つまり、このことから、この場合の各Ｂｙｔｅでの記録波形としてはこの２タイプしか存在しないことがわかる。
そして、記録波形が上記Ｔｙｐｅ１であった場合、そのエッジシフト後のModulation bitsの値としては、図示するように「０１０００００１０００１」となる。また、記録波形が上記Ｔｙｐｅ２であった場合には、「０１０００１０００００１」となる。
これらの値は、共にＲＬＬ（１，７）ｐｐ変調ルールに従った値であることがわかる。
本実施の形態では、ＩＤ bit書込領域内の各Ｂｙｔｅに格納すべき値として、このようにシフト後に得られる値が変調ルールに従ったものとなるという条件も満たすようにその値を設定している。
これによって変調ルールに従ってないデータとされることで再生装置側にて適正に再生が行われなくなってしまうといった事態を防止することができる。
ちなみに、この場合のエッジシフト後に得られるModulation bitsを再生した値（ＲＬＬ（１，７）ｐｐ復調した値）は、図中Data bitsに示されるようにＴｙｐｅ１の場合は「００１１０１１０」、Ｔｙｐｅ２の場合は「０１１０１１１０」となる。
【００５７】
ここで、これまでの説明によると、本実施の形態では、ＩＤ bit書込領域のＢｙｔｅ内に格納するデータ値として４６ｈを設定し、これによって各Ｂｙｔｅのエッジシフト対象部分ｓｆｔが５Ｔのランドとピットとのエッジ部分となるようにされ、且つエッジシフト後に得られるModulation bitsとして変調ルールに従った値が得られるようにしている。
本実施の形態において、このようにエッジシフト対象部分ｓｆｔが５Ｔという比較的長めのランドとピットとのエッジ部分となるようにしているのは、このようにエッジシフト対象部分ｓｆｔに係るランド長及びピット長が長いことで、レーザ照射による変形範囲が大きくなってしまった場合等に対象外のエッジに影響を与えてしまう可能性をそれだけ低くすることができるからである。つまり、これによってＩＤ情報の記録エラーの発生率を低下させることができるというものである。
この場合、エッジシフト対象部分ｓｆｔに係るランド長とピット長とが長ければ、その分記録エラーの発生を効果的に防止できる。つまり、この場合のランド長及びピット長は５Ｔに限定されるものではなく、それ以上の長さが設定されることで記録エラーの発生をより確実に防止することができる。
【００５８】
本実施の形態において、Ｂｙｔｅに格納するデータとしての４６ｈは、このような記録エラー防止の観点でエッジシフト対象部分ｓｆｔが所定長以上のランドとピットとのエッジ部分となるようにするという条件と、エッジシフト後のModulation bitが変調ルールに従ったものとなるようにするという条件の双方を満たす値の一例を示したものに過ぎず、これらの条件を満たす範囲内であれば任意の値に設定できる。
【００５９】
なお、上記のようにエッジシフト対象部分ｓｆｔに係るピット・ランド長により記録エラーの防止策を講じる必要がない場合などには、任意のピット・ランド長が設定されてよいが、この場合もＢｙｔｅに格納するデータビット値としては少なくともエッジシフト対象部分ｓｆｔが形成され且つエッジシフト後のModulation bitsとして変調ルールに従った値が得られる条件を満たす値に設定される必要はある。
【００６０】
また、本実施の形態では、ＩＤ情報の１ビットを記録するためのビット書込領域（各Ｂｙｔ）を１バイト＝８ビットの領域としたが、それ以上のビット数とすることも可能である。
但し、この場合としても各ビット書込領域に格納するデータ値としては、ピットとランドとが隣接し且つシフト後のModulation bitの値が変調ルールに従ったものとなるようにできる値が設定される必要がある。また、さらに所定長以上のピットとランドが隣接して得られる条件も満たすように値が設定されることで、記録エラーの発生がより確実に防止されるようにできる。
【００６１】
さらには、各フレーム内に設けられるＩＤ bit書込領域内においては、ＩＤ情報の１ビットを記録するためのビット書込領域を３つ（この場合はＢｙｔｅ１〜Ｂｙｔｅ３）設けらるものとしているが、その数について特に限定はされない。
【００６２】
上記説明による本適用例としての記録動作を実現するための記録装置の構成について、先の図４を参照して説明する。
なお、本適用例の場合の記録装置としても、その基本的構成は図４に示した記録装置５０と同様となる。ここでは本適用例の動作を実現するために記録装置５０に追加されるべき構成のみについて説明し、他の部分は図４にて説明したものと同様であるとして説明は省略する。
【００６３】
先ず、上記説明によるＩＤ情報の記録動作を実現するにあたっては、記録装置５０に対し、記録されるべきＩＤ情報の値と、各フレームごとのＮＲＺＩの極性の情報が入力される必要がある。
すなわち、ＩＤ情報の値が与えられることで、各フレーム内の各Ｂｙｔｅにおいて、エッジシフトを行うべきか否かを把握することができる。
また、ＮＲＺＩの極性情報は、先に説明したようにＮＲＺＩの極性が異なることでビットシフトすべき位置がＢｙｔｅの先頭から７クロック目／６クロック目で異なることに対応させて、それぞれの極性に応じた正しい位置でビットシフトが行われるようにするために必要な情報となる。
この場合の記録装置５０に対しては、これらＩＤ情報の値とフレームごとのＮＲＺＩの極性情報とが、図４にも示される書換指示データとして記録パルス発生回路６１に対して入力される。
【００６４】
ここで確認のために述べておくと、この場合の記録装置５０としては、主データ記録ディスクＤ１６（ディスク１００）の製造業者側で管理する装置である。従ってＲＯＭディスクであるディスクＤ１６についてはそこに記録される記録データの値は予め把握しておくことができる。そして、このようにディスクＤ１６に記録される記録データ値が把握できることで、上記のような各フレームごとでのＮＲＺＩの極性情報も製造業者側で求めておくことができる。
【００６５】
記録パルス発生回路６１では、上記書換指示データとしてのＩＤ情報の値と極性情報とが、記録パルス生成回路６３に入力される。記録パルス生成回路６３は、これらＩＤ情報の値と極性情報とをＲＡＭ６２に対して各フレーム（アドレス）ごとに格納する。
図１３は、このときＲＡＭ６２内に格納されるデータの内容を示している。
図示するように入力されたＩＤ情報の値は、各アドレス（フレーム）の各Ｂｙｔｅごとに割り振られて格納される。さらに、各アドレスに対応づけてＮＲＺＩの極性を示す情報が格納される。
【００６６】
この図１３に示すＲＡＭ６２内に格納したデータに基づき、この場合の記録装置５０では以下のような動作を行う。
先ず、記録パルス生成回路６３では、上記ＲＡＭ６２内に格納した情報に基づいて、記録対象となるフレーム内のどのＢｙｔｅでエッジシフトを行うべきかを特定する。
そして、そのフレームに対応づけられて格納される”１””０”の情報から、当該フレームでのＮＲＺＩの極性を判別する。この場合”１”は、先に示したNRZI bit stream1の極性を示し、”０”はNRZI bit stream2の極性を示すものであるとする。
【００６７】
その上で、特定したＢｙｔｅの情報と極性の情報とに基づき、ＩＤ bit書込領域内でのエッジシフト位置を認識する。
この場合、極性が”１”であることで、Ｂｙｔｅ１・Ｂｙｔｅ３が先頭から７番目、Ｂｙｔｅ２が先頭から６番目がエッジシフト位置であることがわかる。また、極性が”２”のであることでＢｙｔｅ１、Ｂｙｔｅ３が先頭から６番目、Ｂｙｔｅ２が先頭から７番目がエッジシフト位置であることがわかる。
このような情報と、エッジシフトを行うとして特定されたＢｙｔｅの情報とに基づくことで、適正なエッジシフト位置を認識することができる。
【００６８】
このようにフレームに割り振られた値と極性情報とに応じた適正なエッジシフト位置を認識した上で、この場合の記録パルス生成回路６３としては、各フレームごとに、この認識したエッジシフト位置のみが”１”、それ以外の他のデータがすべて”０”による１フレーム分のデータ列を生成する。
すなわち、例えばそのフレームにおいて全てのＢｙｔｅにＩＤ情報として”１”を記録するとされ、且つそのフレームの極性が”１”であったと仮定すると、１フレームが１９３２チャンネルビットであるこの場合には、Ｂｙｔｅ１の先頭から７チャンネルビット目、及びＢｙｔｅ２の先頭から６チャンネルビット目、及びＢｙｔｅ３の先頭から６チャンネルビット目のみが”１”とされ、他の１９２９チャンネルビットがすべて”０”となる１フレーム分のデータ列を生成するといったものである。
【００６９】
記録パルス生成回路６３では、このようなデータ列をＩＤ情報の記録対象となる全てのフレームについて生成する。
そして、実際の記録時においては、主データ記録ディスクＤ１６についての再生動作が行われる下で、このようなデータ列に基づいて値が”０”のときはＬ、値が”１”のときはＨとなる記録パルス信号Ｗｒｐをレーザ制御部６４に供給する。
先にも説明したようにレーザ制御部６４としては記録パルス信号ＷｒｐがＬのときは再生パワー、Ｈのときは記録パワーとなるようにレーザダイオードＬＤのレーザ出力を制御する。つまり、これにより主データ記録ディスクＤ１６に対しては、エッジシフトを行うべきとされた部分についてのみ記録パワーによるレーザ光を照射することができ、これによって入力されたＩＤ情報の値をディスクＤ１６に対して適正に記録することができる。
なお、この場合のＩＤ情報の記録は、ランドのピット化によるエッジシフトにより行うものとしている。このため、この場合のレーザダイオードＬＤとしては、上記記録パワーとしてランドをピット化することのできるレーザパワーＰｗ-l3が得られるように設定されているものとする。
【００７０】
続いて、図１４のフローチャートを参照して、この場合の記録装置５０にて行われるＩＤ情報の記録動作についてより詳細に説明する。
図１４において、ステップＳ１０１では、先ずは主データ記録ディスクＤ１６が装填される。
そして、ステップＳ１０２では、記録されるべきＩＤ情報が入力される。先にも説明したように記録装置５０に対して入力されたＩＤ情報の値は、書換指示データとして記録パルス生成回路６３に供給される。
【００７１】
ステップＳ１０３では、記録パルス生成回路６３が、入力されたＩＤ情報の値を各アドレスの各Ｂｙｔｅに格納する。
例えばこの場合のＩＤ情報の値は先頭のフレームから順に割り振るものとして、このステップＳ１０３では入力された値を、先の図１３に示したＲＡＭ６２内のフレームごとの各Ｂｙｔｅの格納領域に対し順に格納していくものとする。
【００７２】
ステップＳ１０４では、極性情報が入力される。この極性情報としても書換指示データとして記録パルス生成回路６３に対して供給される。
そしてステップＳ１０５では、記録パルス生成回路６３が、アドレスごとに極性情報を格納する。
この極性情報としては、アドレスごとにＮＲＺＩの極性を示す情報であるので、記録パルス生成回路６３はその対応関係が保たれるように、極性を示す”０””１”の値を図１３に示したＲＡＭ６２内の格納領域に格納する。
【００７３】
なお、極性情報の入力及び格納をＩＤ情報の入力及び格納よりも先に行うものとしてもよい。
また、ここでは書換指示データとしてのＩＤ情報の値と極性情報とが別々に入力される場合を例示したが、同時に入力されたＩＤ情報の値と極性情報とを別々の格納処理により格納するものとしてもよい。
また、ここではＩＤ情報と極性情報の入力がディスクＤ１６の装填後に行われるものとしているがこれらが前後しても構わない。
【００７４】
ステップＳ１０６では、アドレス値Ｎを初期値Ｎ0に設定する。
このステップＳ１０６は、記録パルス生成回路６３が、以下で説明するようにして各アドレスごとにデータ列を生成する動作を行うにあたり、内部のカウンタの値を初期値Ｎ0に設定する動作である。
【００７５】
ステップＳ１０７では、Ｎアドレス内において、ＩＤ情報の値（ＩＤ bit）として”１”を記録すべきＢｙｔｅを特定する動作を行う。つまり、このステップＳ１０７の動作として記録パルス生成回路６３は、ＲＡＭ６２内においてＮアドレスでの各Ｂｙｔｅ対応に格納されるＩＤ情報の値を参照し、このうち値が”１”であるＢｙｔｅを特定する。
【００７６】
続くステップＳ１０８では、Ｎアドレスの極性を判定する。つまり記録パルス生成回路６３がＲＡＭ６２内にてＮアドレスに対応づけられて格納されている極性を示す値の”０””１”を判定する。
【００７７】
ステップＳ１０９では、特定したＢｙｔｅと極性とに応じたエッジシフト位置のみが”１”で他がすべて”０”による１フレーム分のデータ列を生成する。
先にも説明したようにエッジシフト対象部分ｓｆｔとしてのランドのエッジ部分は、極性が”１”のときＢｙｔｅ１とＢｙｔｅ３で先頭から７チャンネルビット目、Ｂｙｔｅ２では６チャンネルビット目となり、一方の極性が”０”のときはＢｙｔｅ２で先頭から７チャンネルビット目、Ｂｙｔｅ１とＢｙｔｅ３で先頭から６チャンネルビット目となる。
このことから記録パルス生成回路６３は、先のステップＳ１０７にて特定したＢｙｔｅの情報とステップＳ１０９にて判定した極性の情報とに基づくことで、エッジシフト位置を特定することができる。
このようなエッジシフト位置の特定は、記録を行うべきＢｙｔｅの情報と極性の情報との組み合わせごとにエッジシフト位置の情報を格納したテーブルを用いることで行うことができる。
その上で記録パルス生成回路６３は、このように特定されたエッジシフト位置のみが”１”でそれ以外が全て”０”となる１フレーム分のデータ列を生成する。
チャンネルビット目の値のみが”１”で、他の１９２９チャンネルビットのすべてが”０”となる１フレーム分のデータ列を生成する。
なお、このステップＳ１０９にて生成されるフレームごとのデータ列は、後の記録パルス信号Ｗｒｐの生成で用いるためＲＡＭ６２等にアドレス対応に保持しておく。
【００７８】
そして、このように１フレーム分のデータ列を生成すると、記録パルス生成回路６３は、アドレスが終了したか否かについて判別する（Ｓ１１０）。つまり、予め設定された、ＩＤ情報の記録に割り当てられた全てのフレームについて上記データ列の生成が完了したか否かを判別するものである。このステップＳ１１０の動作は、記録パルス生成回路６３が先のステップＳ１０６にて初期値Ｎ0としたカウンタの値が予め設定された所定値に達したか否かについて判別することで行う。
カウンタの値が上記所定値に達していないとして否定結果が得られた場合は、アドレス値Ｎを１インクリメント（ステップＳ１１１）した後、先のステップＳ１０７に戻るようにされる。これによってＩＤ情報の記録に割り当てられた全てのフレームについて上記データ列を生成する動作を行うようにされる。
【００７９】
そして、上記ステップＳ１１０において、カウンタの値が上記所定値に達してアドレスが終了したとされた場合は、ステップＳ１１２において、図４に示したコントローラ６５に対してデータ生成終了通知を行う。つまり記録パルス生成回路６３は、上記のようにして全てのアドレスについてデータ列の生成が終了したことに応じ、その旨を示すデータ生成終了通知をコントローラ６５に対して行うものである。
【００８０】
これに応じコントローラ６５は、装填された主データ記録ディスクＤ１６上の、ＩＤ情報の記録に割り当てられた先頭のフレーム（アドレス）にシークするための制御動作を行う（ステップＳ１１３）。このシーク動作は、コントローラ６５が、予め内部に記憶されたディスクＤ１６上の上記先頭フレームのアドレス情報に基づき、サーボ回路５５に対してターゲットアドレスを指示することで行うことができる。
【００８１】
そして、このように先頭アドレスへのシーク動作が行われたことに応じて、記録パルス生成回路６３は、先のステップＳ１０９によってフレームごとに生成したデータ列に基づく記録パルス信号Ｗｒｐを、レーザ制御部６４に対して出力する（ステップＳ１１４）。このデータ列に基づく記録パルス信号Ｗｒｐの出力は、再生されるデータとの同期がとられるようにクロックＣＬＫのタイミングに基づいて行う。また、この記録パルス信号Ｗｒｐの出力は、アドレス検出回路６０から供給されるアドレス情報ＡＤＲとして上記した先頭アドレスを示す情報が供給されたことに応じたタイミングで開始すればよい。
【００８２】
このステップＳ１１４において出力される記録パルス信号Ｗｒｐとしては、入力されたＩＤ情報の値と極性情報とに基づいた適正なエッジシフト位置でのみＨとなる信号が得られる。すなわち、このような記録パルス信号Ｗｒｐに基づきレーザ制御部６４によりレーザダイオードＬＤのレーザ出力が再生パワーから記録パワーに制御されることで、ディスクＤ１６に対し、入力されたＩＤ情報の値を適正に記録することができる。
【００８３】
なお、図１４においては、ＩＤ情報の値が外部から入力されるものとしたが、ディスクＤ１６の装填ごとに新たなシリアル番号を生成する回路を設け、この回路が出力するＩＤ情報の値をＲＡＭ６２に順に格納する構成とすることもできる。
【００８４】
また、極性情報としては、記録データの内容が同一となる同一タイトルによるディスクＤ１６については、フレームと極性との対応が同じとなるので、このような同一タイトルのディスクＤ１６については、図１４に示した例のようにディスク装填ごとに極性情報を入力・格納する処理（Ｓ１０４・Ｓ１０５）は省略できる。
【００８５】
以上、本発明の実施の形態について説明したが、本発明としてはこれまでに説明した実施の形態に限定されるべきものではない。
例えば、実施の形態の適用例では、説明の簡単のためにＩＤ情報の値は先頭フレームのＢｙｔｅ１から順に記録していく場合を例示したが、実際においては、第３者によるＩＤ情報の特定が困難となるようにする等の目的で、例えばＭ系列乱数を用いる等してランダムな順序で値を書き込むようにすることもできる。
この場合、再生装置１でも同様の乱数発生により再生順序を決定することで、適正にＩＤ情報の値を再生することができる。或いは再生順序はそのままで再生により得られた値の順序を乱数に基づき入れ替えることによってもＩＤ情報を適正に再生できる。
【００８６】
また、本実施の形態の適用例では、エッジシフト対象部分ｓｆｔを１Ｔのみシフトさせるものとしたが、それ以上の長さでシフトさせてもよい。
図１５は、例えばエッジシフト対象部分ｓｆｔを２Ｔ分シフトさせる例を示している。この図１５においても、先の図１２と同様にエッジシフトが行われた場合のディスク上の様子とエッジシフト後の記録波形、それに伴い得られるModulation bitsとData bitsの値を示している。
先ず、この図を参照してわかるように２Ｔ分のエッジシフトを行う場合は、記録波形がＴｙｐｅ１（NRZI bit stream1の極性の場合のＢｙｔｅ１、Ｂｙｔｅ３、NRZI bit stream2の極性の場合でのＢｙｔｅ２での記録波形）の場合は、先頭から７〜８チャンネルビットの区間がレーザ光の照射対象区間となる。また、一方のＴｙｐｅ２の記録波形（NRZI bit stream1の極性の場合のＢｙｔｅ２、NRZI bit stream2の極性の場合でのＢｙｔｅ１、Ｂｙｔｅ３での記録波形）の場合では、先頭から５〜６チャンネルビットの区間がレーザ照射対象区間となる。
そしてこの場合、エッジシフト後のModulation bitsの値としては、記録波形が上記Ｔｙｐｅ１であった場合、図示するように「０１００００００１００１」となる。また、記録波形が上記Ｔｙｐｅ２であった場合には「０１００１００００００１」となる。この場合としても、これらの値は共にＲＬＬ（１，７）ｐｐ変調ルールに従った値であることがわかる。すなわち、本実施の形態で各Ｂｙｔｅに格納する４６ｈの値によれば、このようにエッジシフトを２Ｔ分行う場合においても、シフト後に得られる値が変調ルールに従ったものとなる条件を満たすものであることがわかる。
ちなみに、この場合のエッジシフト後に得られるData bitsの値はＴｙｐｅ１の場合で「０１１１１０１０」、Ｔｙｐｅ２の場合で「０１０１１１１０」となる。
【００８７】
なお、この場合の各Ｂｙｔｅに格納される上記４６ｈに基づく記録波形によると、３Ｔ以上のシフトを行うとシフト後のModulation bitsとして変調ルールに従わない部分がでてきてしまう（つまり、この場合では８Ｔのピットが形成されてしまう）。従ってエッジシフトの量はエッジシフト対象部分ｓｆｔを形成するピットとランドとの長さに応じ、シフト後のModulation bitsとして変調ルールに従った値が得られる範囲で設定されればよい。
【００８８】
また、本適用例ではランドをピット化することでエッジシフトを行うものとしたが、ピットをランド化することによっても同様にエッジシフトによる記録を行うことができる。
但し、ピットをランド化する場合は、エッジシフト対象部分ｓｆｔのピット側のエッジ部分を対象とするので、これまでで説明したランドのエッジ部分を対象とする場合とは逆に、NRZI bit stream1の極性のときのエッジシフト位置は、Ｂｙｔｅ１・Ｂｙｔｅ３で先頭から６クロック目、Ｂｙｔｅ２で先頭から７クロック目となり、NRZI bit stream2の極性のときはＢｙｔｅ１・Ｂｙｔｅ３で先頭から７クロック目、Ｂｙｔｅ２で先頭から６クロック目となる。
また、図５の特性によるとピットをランド化するために必要なレーザパワーＰｗはレーザパワーＰｗ-p2であるので、この場合のレーザダイオードＬＤの記録パワーとしてはレーザパワーＰｗが得られるように設定される必要がある。
【００８９】
また、図５の特性によると、これまでの説明のようにランドをピット化する、或いはピットをランド化する以外にも、ピットにおける再生信号レベルをより低下させることも可能である。
ここで、図１６（ａ）に示されるようにしてピットのエッジ部分に対してレーザ照射を行って再生信号レベルがより低下されるようにすると、図１６（ｂ）の再生信号波形に示すようにしてエッジ部分で再生信号レベルが低下することに伴って、隣接するランドの再生信号レベルが低下する。つまり、これによってピットをより長くしたのと同様の結果を得ることができる。
このようなピットの延長によるエッジシフトによっても、ＩＤ情報の記録を行うことができる。図５の特性によるとこのようなピットの延長化はレーザパワーＰｗ-p3で可能であるので、この場合のレーザダイオードＬＤの記録パワーはレーザパワーＰｗ-p3が得られるように設定されればよい。
【００９０】
なお、上記のようにピットの延長化による記録を行う場合としても、上記したピットをランド化する場合と同様にエッジシフトはピットのエッジ部分を対象として行うので、NRZI bit stream1の極性のときのエッジシフト位置は、Ｂｙｔｅ１・Ｂｙｔｅ３で先頭から６クロック目、Ｂｙｔｅ２で先頭から７クロック目となり、NRZI bit stream2の極性のときはＢｙｔｅ１・Ｂｙｔｅ３で先頭から７クロック目、Ｂｙｔｅ２で先頭から６クロック目となる。
【００９１】
また、本適用例では、ディスクＤ１６個々にユニークとなる情報を記録するものとしたが、このようなＩＤ情報ではなく、コンテンツデータの読み出しの制御情報を書き込むものとし、制御内容をディスクＤ１６ごとで異なるように記録することで、ディスク１００ごとに異なる内容を再生させるといったことができる。
例えば、映画等のコンテンツデータであれば、部分的に異なる内容としたり異なる結末とする等といったことが可能となり、娯楽性を増すことができる。一例として、例えば工場で大量生産した主データ記録ディスクＤ１６をストックしておき、実際に出荷するときに出荷地方別に異なる制御情報を書き込むことで、販売地方別にストーリーの結末などが異なるようにすることなどができる。
【図面の簡単な説明】
【００９２】
【図１】本発明の実施の形態の記録装置が記録対象とする光ディスク記録媒体（主データ記録ディスク）の断面構図である。
【図２】実施の形態としての光ディスク記録媒体の製造工程について説明するための図である。
【図３】図１に示す光ディスク記録媒体に対して記録されるデータのデータ構造について説明するためのデータ構造図である。
【図４】実施の形態としての記録装置の内部構成を示すブロック図である。
【図５】レーザ光照射により記録が行われた部分（記録部分）での、レーザパワーＰｗに対する再生信号レベルの変化特性を示した図である。
【図６】ランド記録時の基板形状について観察した結果を模式的に示した図である。
【図７】ピット記録時の基板形状について観察した結果を模式的に示した図である。
【図８】ランド記録時におけるレーザパワー変化に伴う基板の断面形状の変化の様子とそれに伴い得られる再生信号波形とを模式的に示した図である。
【図９】ピット記録時におけるレーザパワー変化に伴う基板の断面形状の変化の様子とそれに伴い得られる再生信号波形とを模式的に示した図である。
【図１０】本実施の形態の適用例において、光ディスク記録媒体に対して記録される記録データのデータ構造について説明するためのデータ構造図である。
【図１１】本実施の形態の適用例としての記録動作について説明するための図である。
【図１２】同じく、本実施の形態の適用例としての記録動作について説明するための図である。
【図１３】本実施の形態の適用例での記録装置内に格納されるべきデータ内容を示したデータ構造図である。
【図１４】本実施の形態の適用例としての動作を実現するために記録装置において行われるべき動作を示したフローチャートである。
【図１５】エッジシフトを２Ｔ分行う場合の動作について説明するための図である。
【図１６】ピットの延長化によりエッジシフトを行う場合の動作について説明するための図である。
【符号の説明】
【００９３】
５０  記録装置、５１  スピンドルモータ、５２  ２軸機構、５２ａ  対物レンズ、５３  ＩＶ変換回路、５４  マトリクス回路、５５  サーボ回路、５６  ２軸駆動回路、５７  ２値化回路、５８  同期検出回路、５９  ＰＬＬ回路、６０  アドレス検出回路、ＯＰ  光ピックアップ、ＰＤ  フォトディテクタ、ＬＤ  レーザダイオード、６１  記録パルス発生回路、６２  ＲＡＭ、６３  記録パルス生成回路、６４  レーザパワー制御部、６５  コントローラ、Ｄ１６  主データ記録ディスク、１００  ディスク、１０１  基板、１０２  反射膜、１０３  カバー層、１０４  ＵＶ硬化樹脂
【図１】
2006331500.tif 000003
【図２】
2006331500.tif 000004
【図３】
2006331500.tif 000005
【図４】
2006331500.tif 000006
【図５】
2006331500.tif 000007
【図６】
2006331500.tif 000008
【図７】
2006331500.tif 000009
【図８】
2006331500.tif 000010
【図９】
2006331500.tif 000011
【図１０】
2006331500.tif 000012
【図１１】
2006331500.tif 000013
【図１２】
2006331500.tif 000014
【図１３】
2006331500.tif 000015
【図１４】
2006331500.tif 000016
【図１５】
2006331500.tif 000017
【図１６】
2006331500.tif 000018